(57)【要約】  アドバイス情報提供システムは、所定の重量計により計測される化粧品の重量を取得する重量取得部と、前記化粧品の使用開始を検出する使用開始検出部と、前記使用開始検出部が前記化粧品の使用開始を検出すると、当該化粧品に関連するアドバイス情報を提供するアドバイス情報提供部と、前記重量取得部が取得した前記化粧品の重量を記憶する記憶部と、を含む。
2018012222.tif 000002
【特許請求の範囲】
【請求項１】
所定の重量計により計測される化粧品の重量を取得する重量取得部と、
前記化粧品の使用開始を検出する使用開始検出部と、
前記使用開始検出部が前記化粧品の使用開始を検出すると、当該化粧品に関連するアドバイス情報を提供するアドバイス情報提供部と、
前記重量取得部が取得した前記化粧品の重量を記憶する記憶部と、
を含むアドバイス情報提供システム。
【請求項２】
請求項１に記載のアドバイス情報提供システムにおいて、
前記使用開始検出部は、前記重量取得部が取得した前記化粧品の重量の変化に基づき、当該化粧品の使用開始を検出するアドバイス情報提供システム。
【請求項３】
請求項２に記載のアドバイス情報提供システムにおいて、
前記使用開始検出部は、前記重量計に載置されていた前記化粧品が当該重量計から取り除かれたこと、又は当該重量計に前記化粧品が載置されたことに基づき、前記所定の化粧品の使用開始を検出するアドバイス情報提供システム。
【請求項４】
請求項２に記載のアドバイス情報提供システムにおいて、
前記使用開始検出部は、ユーザが所持する化粧品を識別する情報と、当該化粧品の重量とを対応付けて記憶する化粧品情報記憶部を参照して、前記重量取得部が取得した前記化粧品の重量に基づき、使用開始された前記化粧品を特定するアドバイス情報提供システム。
【請求項５】
請求項１に記載のアドバイス情報提供システムにおいて、
前記アドバイス情報提供部は、前記重量取得部が取得した前記化粧品の重量の変化に基づき、前記アドバイス情報を提供するアドバイス情報提供システム。
【請求項６】
請求項１に記載のアドバイス情報提供システムは、
前記使用開始検出部が前記化粧品の使用開始を検出した後、前記重量計により計測される重量をモニタリングし、当該重量に基づき前記化粧品の使用量を検出する使用状況検出部をさらに含むアドバイス情報提供システム。
【請求項７】
請求項６に記載のアドバイス情報提供システムにおいて、
前記アドバイス情報提供部は、前記使用状況検出部が前記化粧品の前記使用量を検出した際に、当該化粧品の推奨使用量に基づき、前記使用状況検出部が検出した前記化粧品の前記使用量が、当該推奨使用量に満たない場合に、前記化粧品のさらなる使用を促すアドバイス情報を提供するアドバイス情報提供システム。
【請求項８】
請求項６に記載のアドバイス情報提供システムは、
前記使用状況検出部は、前記使用開始検出部が前記化粧品の使用開始を検出した後、当該化粧品の使用時間も検出し、当該化粧品の推奨使用時間に基づき、検出した前記化粧品の前記使用時間が、当該推奨使用時間に満たない場合に、前記化粧品のさらなる使用を促すアドバイス情報を提供するアドバイス情報提供システム。
【請求項９】
請求項１に記載のアドバイス情報提供システムは、
前記使用開始検出部が前記化粧品の使用開始を検出するまでの所定期間において前記化粧品のユーザが存在した環境の環境情報、当該ユーザが行った行動の行動情報又は当該ユーザの生体情報を取得するユーザ情報取得部をさらに含み、
前記アドバイス情報提供部は、前記ユーザ情報取得部が取得した前記環境情報、前記行動情報又は前記生体情報に基づき、当該化粧品に関するアドバイス情報を提供するアドバイス情報提供システム。
【請求項１０】
請求項９に記載のアドバイス情報提供システムにおいて、
前記環境情報、前記行動情報又は前記生体情報は、前記ユーザが身につけていたユーザ情報収集デバイスにより取得され、
前記ユーザ情報取得部は、当該ユーザ情報収集デバイス又は当該ユーザ情報収集デバイスから一定の時間間隔で送信された前記環境情報、前記行動情報又は前記生体情報を当該ユーザに対応付けて記憶するサーバ装置から、前記環境情報、前記行動情報又は前記生体情報を取得するアドバイス情報提供システム。
【請求項１１】
請求項１に記載のアドバイス情報提供システムは、
前記化粧品のユーザが存在する環境の環境情報又は当該ユーザの生体情報を取得するユーザ情報取得部をさらに含み、
前記アドバイス情報提供部は、前記ユーザ情報取得部が取得した前記環境情報又は生体情報に基づき、当該化粧品に関するアドバイス情報を提供するアドバイス情報提供システム。
【請求項１２】
コンピュータを、
所定の重量計により計測される化粧品の重量を取得する重量取得手段、
前記化粧品の使用開始を検出する使用開始検出手段、
前記使用開始検出手段が前記化粧品の使用開始を検出すると、当該化粧品に関連するアドバイス情報を提供するアドバイス情報提供手段、
前記重量取得手段が取得した前記化粧品の重量を記録する記録手段、
として機能させるアドバイス情報提供プログラムを記録したコンピュータ読み取り可能な記録媒体。
【発明の詳細な説明】
【技術分野】
【０００１】
本発明は、アドバイス情報提供システム及びアドバイス情報提供プログラムを記録した記録媒体に関する。
【背景技術】
【０００２】
従来から、化粧品メーカは、デパート等の店舗に化粧品カウンタを設け、化粧品カウンタで販売員が顧客の肌状態等を診断しながら、適切な化粧品をすすめるという販売形態を用いている。しかし、化粧品カウンタで販売員が化粧品の使い方等をアドバイスすることはあるが、顧客が実際に化粧品を使用する際に適切に使用できていないという問題もあった。【０００３】
特許文献１には、化粧品を容れた化粧品容器の動き等を検出するセンサと、このセンサで検出した検出信号を発信する発信手段とを含む化粧品容器の使用状況確認システムが記載されている。【０００４】
特許文献２には、液体容器と、データベースと、前記データベースにアクセスし、前記液体容器を制御し、液体摂取管理を行うように、無線技術で前記液体容器と前記データベースと通信するネット媒介と、を備えた液体摂取管理システムが記載されている。【０００５】
特許文献３には、センサ機能を有するＩＣタグをテスターカウンタに付けて、顧客がテスターカウンタに触れた回数、選択した化粧品を使用している時間、その日時の情報をパソコンに記録させ、インターネットを通してホストコンピュータに記録し集計する化粧品基礎データ収録システムが記載されている。【０００６】
特許文献４には、管理対象者の健康に関わる食品、医薬品、医薬部外品、又は、化粧品のうちから選ばれる少なくとも一つの管理対象物品について、前記管理対象者による摂取／使用状況を管理するための管理システムが記載されている。
【先行技術文献】
【特許文献】
【０００７】
【特許文献１】特開２０１３−１５３９５２号公報
【特許文献２】特開２０１４−２０３４５３号公報
【特許文献３】特開２０１１−２２７６９１号公報
【特許文献４】特開２００９−１２９３１１号公報
【発明の概要】
【発明が解決しようとする課題】
【０００８】
しかし、特許文献１〜４に記載の技術でも、ユーザが実際に化粧品を使用する際に適切な使用方法等をアドバイスするということができていない。
【課題を解決するための手段】
【０００９】
本発明は上記事情に鑑みてなされたものであり、その目的とするところは、ユーザが実際に化粧品を使用する際に適切な使用方法等をアドバイスすることができる技術を提供することにある。【００１０】
本発明によれば、
所定の重量計により計測される化粧品の重量を取得する重量取得部と、
前記化粧品の使用開始を検出する使用開始検出部と、
前記使用開始検出部が前記化粧品の使用開始を検出すると、当該化粧品に関連するアドバイス情報を提供するアドバイス情報提供部と、
前記重量取得部が取得した前記化粧品の重量を記憶する記憶部と、
を含むアドバイス情報提供システムが提供される。
【発明の効果】
【００１１】
ユーザが実際に化粧品を使用する際に適切な使用方法等をアドバイスすることができる。
【図面の簡単な説明】
【００１２】
【図１】本実施形態におけるアドバイス情報提供システムの機能構成の一例を示すブロック図である。
【図２】ログ記憶部の内部構成の一例を示す図である。
【図３】本実施形態におけるアドバイス情報提供システムによる処理の一例を説明するための模式図である。
【図４】化粧品情報記憶部の内部構成の一例を示す図である。
【図５】使用状況記憶部の内部構成の一例を示す図である。
【図６】アドバイス情報記憶部の内部構成の一例を示す図である。
【図７】アドバイス情報記憶部の内部構成の他の例を示す図である。
【図８】本実施形態におけるアドバイス情報提供システムを含むネットワーク構成の一例を示す図である。
【図９】本実施形態におけるアドバイス情報提供システムのハードウェア構成の一例を示すブロック図である。
【図１０】本実施形態におけるアドバイス情報提供システムによる処理の一例を説明するための模式図である。
【図１１】本実施形態におけるアドバイス情報提供システムによる処理の一例を示すフローチャートである。
【図１２Ａ】重量計の構成の他の例を示す図である。
【図１２Ｂ】重量計の構成の他の例を示す図である。
【図１２Ｃ】重量計の構成の他の例を示す図である。
【図１２Ｄ】重量計の構成の他の例を示す図である。
【図１３】ログ記憶部の内部構成の他の例を示す図である。
【発明を実施するための形態】
【００１３】
以下、本発明の実施の形態について、図面を用いて説明する。尚、すべての図面において、同様な構成要素には同様の符号を付し、適宜説明を省略する。
【００１４】
図１は、本実施形態におけるアドバイス情報提供システム１００の機能構成の一例を示すブロック図である。
【００１５】
アドバイス情報提供システム１００は、重量取得部１２０と、使用開始検出部１２２と、使用状況検出部１２４と、アドバイス情報提供部１２８と、ユーザ情報取得部１３０と、ログ記憶部１５０と、化粧品情報記憶部１５２と、使用状況記憶部１５４と、アドバイス情報記憶部１５６と、ユーザ情報記憶部１５８とを含む。
【００１６】
図１に示したアドバイス情報提供システム１００の各構成要素は、ハードウエア単位の構成ではなく、機能単位のブロックを示している。アドバイス情報提供システム１００の各構成要素は、一又は複数の任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００１７】
重量取得部１２０は、重量計１０２により計測される化粧品の重量を取得する。重量取得部１２０は、重量計１０２で計測される重量を、例えば２秒等一定の時間間隔で取得する。重量取得部１２０は、取得した重量を日時に対応付けてログ記憶部１５０に記憶する。
【００１８】
図２は、ログ記憶部１５０の内部構成の一例を示す図である。ログ記憶部１５０は、日時欄、重量欄等を含む。ログ記憶部１５０には、例えば２秒間隔で、日時と重量とが記憶されている。
【００１９】
図１に戻り、使用開始検出部１２２は、化粧品の使用開始を検出する。本実施形態において、使用開始検出部１２２は、重量取得部１２０が取得した化粧品の重量の変化に基づき、当該化粧品の使用開始を検出する。例えば、使用開始検出部１２２は、重量計１０２に載置されていた化粧品が重量計１０２から取り除かれたことに基づき、当該化粧品の使用開始を検出することができる。
【００２０】
図３は、この様子を示す図である。図３（ａ）は、重量計１０２上に化粧品の一例である化粧水３００が載置された状態を示す。重量取得部１２０は、この時点での化粧水３００の重量を取得する。この状態で、ユーザが化粧水３００を使用するために化粧水３００を持ち上げると（図３（ｂ））、重量取得部１２０はこの状態で重量計１０２により計測される重量（実質的にゼロｇ）も取得する。使用開始検出部１２２は、重量の変化に基づき、化粧水３００の使用開始を検出する。なお、重量計１０２にはランプ１０４が設けられており、使用開始検出部１２２が化粧品の使用開始を検出すると、ランプ１０４が点灯する構成とすることができる。ユーザは、化粧水３００を使用した後に再度化粧水３００を重量計１０２上に戻す手順とすることができる（図３（ｃ））。重量取得部１２０は、この時点での化粧水３００の重量を取得する。これにより、後述するように、ユーザの化粧品の使用量を検出することができる。
【００２１】
また他の例として、使用開始検出部１２２は、重量計１０２に何も載置されていない状態で、重量計１０２に化粧品が載置されたことに基づき、当該化粧品の使用開始を検出してもよい。
【００２２】
化粧品情報記憶部１５２は、ユーザが所持する化粧品を識別する情報と、当該化粧品の重量とを対応付けて記憶する。
【００２３】
図４は、化粧品情報記憶部１５２の内部構成の一例を示す図である。化粧品情報記憶部１５２は、化粧品種類欄、重量欄等を含む。化粧品情報記憶部１５２には、ユーザが所持する、例えば化粧水、乳液、クリーム等の化粧品それぞれの重量が記憶されている。各化粧品の重量は、例えば当該化粧品の購入時に、ユーザが化粧品に対応付けて登録しておく構成とすることができる。
【００２４】
使用開始検出部１２２は、化粧品情報記憶部１５２を参照して、重量取得部１２０が取得した化粧品の重量に基づき、使用開始された化粧品を特定することができる。例えば、図４（ａ）の状態で、重量取得部１２０が取得した化粧品の重量が２５０ｇの場合、使用開始検出部１２２は、使用開始された化粧品が化粧水であると特定することができる。
【００２５】
図１に戻り、使用状況検出部１２４は、化粧品の使用開始日時、使用量等の使用状況を検出し、使用状況記憶部１５４に記憶する。図５は、使用状況記憶部１５４の内部構成の一例を示す図である。使用状況記憶部１５４は、化粧品種類欄、開始日時欄、使用量欄等を含む。使用状況記憶部１５４には、例えば化粧水、乳液、クリーム等の化粧品それぞれについて、使用開始日時、使用量等が記憶されている。
【００２６】
また、使用状況検出部１２４は、化粧品の使用量に基づき、化粧品情報記憶部１５２を更新することができる。図４（ｂ）は、各化粧品が使用されて化粧品情報記憶部１５２が更新された状態を示す。ここでは、例えば化粧水の重量は図４（ａ）の２５０ｇから２４７ｇとなっている。
【００２７】
図１に戻り、アドバイス情報提供部１２８は、使用開始検出部１２２が所定の化粧品の使用開始を検出すると、当該化粧品に関連するアドバイス情報を提供する。アドバイス情報記憶部１５６は、化粧品毎又は化粧品の種類毎に、当該化粧品に関連するアドバイス情報を記憶する。ここで、化粧品に関連するアドバイス情報とは、当該化粧品の推奨使用量、推奨使用時間、使用方法等、その化粧品自体に関するアドバイス情報の他、当該化粧品とともに使用することが好ましいマスクや他の化粧品についてのアドバイス情報も含む。
【００２８】
図６は、アドバイス情報記憶部１５６の内部構成の一例を示す図である。アドバイス情報記憶部１５６は、化粧品種類欄、推奨使用量欄等を含む。アドバイス情報記憶部１５６には、例えば化粧水、乳液、クリーム等の化粧品それぞれについて、推奨使用量等が記憶されている。ここでは一例として推奨使用量等が記憶された構成を示すが、アドバイス情報記憶部１５６には、例えば「化粧水をコットンに含ませて、顔生体に広げて下さい」等の使用方法や、次に使用すべき化粧品等を記憶しておくこともできる。また、アドバイス情報記憶部１５６には、各化粧品の推奨使用時間を記憶しておくこともできる。また、アドバイス情報記憶部１５６には、使用時間に関し「５分間かけてゆっくりマッサージして下さい」等のアドバイス情報を記憶しておくこともできる。
【００２９】
図１に戻り、本実施形態において、アドバイス情報提供部１２８は、重量取得部１２０が取得した化粧品の重量の変化に基づき、アドバイス情報を提供することができる。以下にこの手順の一例を示す。
【００３０】
使用状況検出部１２４は、使用開始検出部１２２が化粧品の使用開始を検出した後、重量計１０２により計測される重量をモニタリングし、当該重量に基づき化粧品の使用量を検出する。アドバイス情報提供部１２８は、使用状況検出部１２４が化粧品の使用量を検出した際に、アドバイス情報記憶部１５６に記憶された当該化粧品の推奨使用量に基づき、使用状況検出部１２４が検出した化粧品の使用量が、推奨使用量以上か否かを判断する。アドバイス情報提供部１２８は、例えば化粧品の使用量が、推奨使用量に満たない場合に、化粧品のさらなる使用を促すアドバイス情報を提供する。
【００３１】
また、本実施形態において、アドバイス情報提供部１２８は、化粧品の使用時間に基づき、アドバイス情報を提供することができる。以下にこの手順の一例を示す。
【００３２】
使用状況検出部１２４は、例えば、使用開始検出部１２２が化粧品の使用開始を検出した後、当該化粧品の使用時間も検出することができる。使用状況検出部１２４は、例えば使用開始検出部１２２が化粧品の使用開始を検出した日時を使用開始日時として検出することができる。また、使用状況検出部１２４は、例えば重量計１０２に次の化粧品が載置される等して、重量取得部１２０が次の化粧品の重量を取得した日時を使用終了日時として検出することができる。この場合、使用状況検出部１２４は、使用開始日時から使用終了日時までの時間を使用時間として検出することができる。ただし、どのタイミングを使用開始日時や使用終了日時として検出するかは、適宜設定することができる。
【００３３】
なお、上述したように、アドバイス情報記憶部１５６には各化粧品の推奨使用時間を記憶しておくことができる。アドバイス情報提供部１２８は、使用状況検出部１２４が化粧品の使用時間を検出した際に、アドバイス情報記憶部１５６に記憶された当該化粧品の推奨使用時間に基づき、使用状況検出部１２４が検出した化粧品の使用時間が、推奨使用時間以上か否かを判断する。アドバイス情報提供部１２８は、化粧品の使用時間が、推奨使用時間に満たない場合に、化粧品のさらなる使用を促すアドバイス情報を提供する。
【００３４】
また、アドバイス情報提供部１２８は、現在の時刻（朝か夜か等）に基づき、アドバイス情報を提供することもできる。
【００３５】
ユーザ情報取得部１３０は、使用開始検出部１２２が化粧品の使用開始を検出するまでの所定期間において化粧品のユーザが存在した環境の環境情報、所定期間において当該ユーザが行った行動に関する行動情報、又は所定期間における当該ユーザの生体情報等を取得する。また、ユーザ情報取得部１３０は、現在の環境情報や生体情報を取得することもできる。
【００３６】
アドバイス情報提供部１２８は、使用開始検出部１２２が化粧品の使用開始を検出するまでの所定期間において化粧品のユーザが存在した環境の環境情報や現在の環境情報、所定期間において当該ユーザが行った行動に関する行動情報、又は所定期間における当該ユーザの生体情報や現在の生体情報等に基づき、アドバイス情報を提供することができる。
【００３７】
所定期間は、例えば現在が夜の場合、前回（朝）の使用後から現在までであったり、現在が朝なら前日の朝の使用後から現在までであったり、現在までの１月間、現在までの１週間等、種々の設定とすることができる。
【００３８】
環境情報は、例えば、ＵＶ量、湿度、温度、天気、季節、空気中の水蒸気量、ＰＭ２．５の量、花粉量等とすることができる。例えば、アドバイス情報提供部１２８は、ＵＶ量が多い場合や湿度が低い場合等に、化粧品の多めの使用を促したり、現在の化粧品の使用の後に、特別な別の化粧品の使用を促す等のアドバイス情報を提供することができる。
【００３９】
行動情報は、例えば、睡眠時間、運動時間、食事時間や食事の内容、美容行為等とすることができる。例えば、アドバイス情報提供部１２８は、睡眠時間が短い場合等に、化粧品の多めの使用を促したり、現在の化粧品の使用の後に、特別な別の化粧品の使用を促す等のアドバイス情報を提供することができる。
【００４０】
生体情報は、例えば、肌状態（水分量等）、生理周期、血流、体温、血圧、疲労、ストレス等とすることができる。例えば、アドバイス情報提供部１２８は、水分量が少ない場合等に、化粧品の多めの使用を促したり、現在の化粧品の使用の後に、特別な別の化粧品の使用を促す等のアドバイス情報を提供することができる。
【００４１】
なお、上記環境情報、行動情報又は生体情報等のユーザ情報は、例えば後述するユーザ情報収集デバイスにより取得することができる。また、ユーザ情報は、例えばユーザに入力させる構成とすることもできる。例えば食事時間や食事の内容については、ユーザに手入力させたり、食事の写真や食品の購入履歴や外食時の会計に基づき判断する等とすることができる。
【００４２】
図７は、アドバイス情報記憶部１５６の内部構成の他の例を示す図である。アドバイス情報記憶部１５６は、図６を参照して説明した例と同様、化粧品種類欄、推奨使用量欄等を含む。また、アドバイス情報記憶部１５６には、例えば化粧水、乳液、クリーム等の化粧品それぞれについて、標準時とＵＶ量が多いとき（ＵＶ量多）それぞれの推奨使用量等が記憶されている。ここで、例えば化粧水について、ＵＶ量多の推奨使用量ｕ４は、標準時の推奨使用量ｕ１より多い構成とすることができる。
【００４３】
アドバイス情報提供部１２８は、ユーザ情報取得部１３０が取得した環境情報であるＵＶ量に基づき、ＵＶ量が標準か多いかに応じて、対応する推奨使用量等を用いてユーザの化粧品の使用量が適切か否か等を判断することができる。また、この場合も、アドバイス情報記憶部１５６には、各化粧品の推奨使用時間を記憶しておくこともできる。
【００４４】
図８は、本実施形態におけるアドバイス情報提供システム１００を含むネットワーク構成の一例を示す図である。
【００４５】
アドバイス情報提供システム１００は、ネットワーク２５０を介してサーバ装置２１０と接続される。また、アドバイス情報提供システム１００は、ユーザ情報収集デバイス２２０と直接又はネットワーク２５０を介して接続される。ネットワーク２５０は、インターネットやＬＡＮ等の通信ネットワークである。
【００４６】
ユーザ情報収集デバイス２２０は、ユーザが身につけたり持ち歩いたりする環境センサ、活動量計等の端末とすることができる。例えば環境情報を収集する場合、ユーザ情報収集デバイス２２０は、ＵＶ量測定器等の環境センサとすることができる。また、例えば行動情報を収集する場合、ユーザ情報収集デバイス２２０は、睡眠時間や運動量を測定する活動量計とすることができる。
【００４７】
ユーザ情報収集デバイス２２０は、収集したユーザ情報を一定の時間間隔でサーバ装置２１０等のデータベースや、ユーザのスマートフォン等の携帯端末に送信することができる。サーバ装置２１０へのユーザ情報の送信は、ユーザ情報収集デバイス２２０から直接行ってもよく、ユーザのスマートフォン等の携帯端末を介して行ってもよい。また、ユーザ情報をサーバ装置２１０に送信する場合、サーバ装置２１０は、ユーザ情報をユーザに対応付けて記憶しておく。
【００４８】
他の例として、ユーザ情報収集デバイス２２０は、メモリを有し、得られたユーザ情報を一定の時間間隔で自端末のメモリ内に記憶しておくこともできる。
【００４９】
図１に戻り、アドバイス情報提供システム１００のユーザ情報取得部１３０は、サーバ装置２１０、ユーザのスマートフォン等の携帯端末、ユーザ情報収集デバイス２２０等に記憶されたユーザ情報を取得することができる。ユーザ情報取得部１３０は、このようにして取得したユーザ情報をユーザ情報記憶部１５８に記憶する。
【００５０】
なお、後述するように、アドバイス情報提供システム１００がユーザのスマートフォン等の携帯端末により構成される場合、ユーザ情報取得部１３０は、ユーザ情報収集デバイス２２０から一定の時間間隔でユーザ情報を取得し、ユーザ情報記憶部１５８に記憶しておくこともできる。
【００５１】
図９は、本実施形態におけるアドバイス情報提供システム１００のハードウェア構成の一例を示すブロック図である。
【００５２】
アドバイス情報提供システム１００は、入力部２１と、出力部２２と、メモリ部２５と、各種制御を行うＣＰＵ（Ｃｅｎｔｒａｌ  Ｐｒｏｃｅｓｓｉｎｇ  Ｕｎｉｔ）２６と、ネットワーク接続部２７とを有する。
【００５３】
アドバイス情報提供システム１００は、例えば図３に示したように、重量計１０２を含む筐体内にコンピュータが組み込まれた構成の端末（以下、「重量計端末」という。）とすることができる。また、アドバイス情報提供システム１００は、ユーザのスマートフォン等の携帯端末やタブレット端末等の端末とすることもできる。さらに、アドバイス情報提供システム１００は、重量計端末と、スマートフォンやタブレット端末等の端末との組み合わせにより構成することもできる。
【００５４】
入力部２１は、例えばユーザ等が操作するボタン、キーボード等とすることができる。また、入力部２１は、例えば音声等により入力が可能なマイク等の音声入力デバイスであってもよい。出力部２２は、ランプ、スピーカ、ディスプレイ等とすることができる。図３に示したランプ１０４は出力部２２の一例である。
【００５５】
メモリ部２５は、実行プログラム等を格納する。なお、メモリ部２５は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等である。
【００５６】
ＣＰＵ２６は、ＯＳ（Ｏｐｅｒａｔｉｎｇ  Ｓｙｓｔｅｍ）等の制御プログラム、及びメモリ部２５に格納されている実行プログラムに基づいて、各種演算や各ハードウェア構成部とのデータの入出力等、コンピュータ全体の処理を制御して、本実施形態のアドバイス情報提供処理を実現する。
【００５７】
ネットワーク接続部２７は、ネットワーク２５０等と接続することにより、例えばサーバ装置２１０等他の装置との間でデータのやり取りを行う。
【００５８】
なお、アドバイス情報提供システム１００が、スマートフォンやタブレット端末等の端末の場合、入力部２１と出力部２２とは、例えばタッチパネルのように入出力一体型の構成であってもよい。この場合、アドバイス情報提供システム１００は、電源システム、メインシステム、記憶部、外部ポート、高周波回路、アンテナ、オーディオ回路、スピーカ、マイク、近接センサ、Ｉ／Ｏサブシステム、タッチ反応型ディスプレイシステム及び光学センサ等及び入力部を含む。メインシステムは、プロセッサ、メモリコントローラ及び周辺インタフェースを含む。Ｉ／Ｏサブシステムは、ディスプレイコントローラ、光学センサコントローラ及び入力コントローラを含むことができる。
【００５９】
また、アドバイス情報提供システム１００の機能の一部はサーバ装置２１０に設けられていてもよい。図１を参照して説明した構成のうち、例えば化粧品情報記憶部１５２、使用状況記憶部１５４、アドバイス情報記憶部１５６、ユーザ情報記憶部１５８等の各種記憶部はサーバ装置２１０に設けられた構成とすることができる。
【００６０】
サーバ装置２１０は、一般的なコンピュータが有するＣＰＵ（Central Ｐrocessing Unit）、ＲＯＭ（Read Only Memory）、ＲＡＭ（Random Access Memory）、ＮＶＲＡＭ（Non-Volatile Random Access Memory）、Ｉ／Ｆ（Interface）、キーボード、マウス、モニタ、ＣＤ／ＤＶＤ（Compact Disk/Digital Versatile Disk）ドライブ等のＩ／Ｏ（Input/Output Device）、ＨＤＤ（Hard Disk Drive）、ＮＩＣ（Network Interface Card）等がバスで接続されたハードウェア構成を有することができる。
【００６１】
図１０は、本実施形態におけるアドバイス情報提供システム１００による処理を説明するための模式図である。
【００６２】
図１０（ａ）〜図１０（ｃ）は、図３（ａ）〜図３（ｃ）の処理に対応する。図１０（ｃ）において、ユーザが化粧水３００を使用して重量計１０２上に戻すと、使用状況検出部１２４は、図１０（ａ）の状態で計測された重量と、図１０（ｃ）の状態で計測された重量とに基づき、化粧水３００の使用量を検出する。アドバイス情報提供部１２８は、アドバイス情報記憶部１５６（例えば図６）を参照して、化粧水３００の推奨使用量ｕ１に基づき、使用量が推奨使用量ｕ１以上であれば「使用量は適切です・・・」等のアドバイス情報４００を提供する。この時、アドバイス情報提供部１２８は、例えば「次は乳液を使用して下さい。」等、次に使用すべき化粧品をアドバイス情報として提供してもよい。
【００６３】
一方、アドバイス情報提供部１２８は、使用量が推奨使用量ｕ１未満であれば、「もう少し化粧水をたくさん使用して下さい。」等のアドバイス情報４００を提供する。
【００６４】
なお、本実施形態において、ユーザは、使用しようとする化粧品を一旦重量計１０２上に載置してから使用する手順とすることができる。ユーザが化粧水３００を使用し終わり、次に乳液３０２を使用しようとする場合は、一旦化粧水３００を重量計１０２から取り除き（図１０（ｄ））、乳液３０２を重量計１０２上に載置する（図１０（ｅ））。
【００６５】
この状態で、ユーザが乳液３０２を使用するために乳液３０２を持ち上げると（図１０（ｆ））、使用開始検出部１２２は、重量の変化に基づき、乳液３０２の使用開始を検出する。この時も、使用開始検出部１２２が化粧品の使用開始を検出すると、ランプ１０４が点灯する構成とすることができる。
【００６６】
次いで、ユーザが乳液３０２を使用して重量計１０２上に戻す（図１０（ｇ））。使用状況検出部１２４は、図１０（ｅ）の状態で計測された重量と、図１０（ｇ）の状態で計測された重量とに基づき、乳液３０２の使用量を検出する。アドバイス情報提供部１２８は、アドバイス情報記憶部１５６（例えば図６）を参照して、乳液３０２の推奨使用量ｕ２と使用量とに基づき、アドバイス情報を提供する。
【００６７】
図１１は、本実施形態におけるアドバイス情報提供システムによる処理の一例を示すフローチャートである。
【００６８】
重量取得部１２０が取得した重量の変化に基づき所定の化粧品の使用開始を検出すると（ステップＳ１００のＹＥＳ）、使用開始検出部１２２は、当該化粧品の重量をログ記憶部１５０に記録する（ステップＳ１０２）。ユーザ情報取得部１３０は、ユーザ情報を取得する（ステップＳ１０４）。アドバイス情報提供部１２８は、推奨使用量を取得する（ステップＳ１０６）。このとき、アドバイス情報提供部１２８は、ユーザ情報取得部１３０が取得したユーザ情報に基づき、例えばＵＶ量が標準か多いか等に応じて、推奨使用量を取得することができる。使用状況検出部１２４は、重量取得部１２０が取得した重量の変化に基づき、化粧品の使用量を検出する（ステップＳ１０８）。
【００６９】
アドバイス情報提供部１２８は、ステップＳ１０６で取得した推奨使用量と、ステップＳ１０８で検出された使用量とに基づき、使用量が推奨使用量以上か否かを判断する（ステップＳ１１０）。使用量が推奨使用量以上の場合（ステップＳ１１０のＹＥＳ）、アドバイス情報記憶部１５６は、次に使うべき化粧品があるか否かを判断し（ステップＳ１１４）、次の化粧品がある場合（ステップＳ１１４のＹＥＳ）、次の化粧品についてのアドバイス情報を提供する（ステップＳ１１６）。この後、ステップＳ１００に戻り、次の化粧品について同様の処理を行う。なお、次の化粧品の処理では、ステップＳ１０４のユーザ情報の取得は省略することができる。
【００７０】
一方、ステップＳ１１０において、使用量が推奨使用量未満の場合（ステップＳ１１０のＮＯ）、アドバイス情報記憶部１５６は、現在の化粧品の追加使用を促すアドバイス情報を提供する（ステップＳ１１２）。この後、ステップＳ１０８に進み、同様の処理を繰り返す。
【００７１】
一方、ステップＳ１１４において、次の化粧品がない場合（ステップＳ１１４のＮＯ）、処理を終了する。
【００７２】
以上のように、本実施形態におけるアドバイス情報提供システム１００によれば、重量計１０２により計測される化粧品の重量を取得する構成となっている。そのため、例えば化粧品の重量の変化に基づき、化粧品の使用開始を検出して、ユーザが化粧品を使用する際に当該化粧品に関連するアドバイス情報を提供することができる。また、例えば化粧品の重量の変化に基づき、ユーザが化粧品を使用する際に当該化粧品の適切な使用量等をアドバイスすることができる。
【００７３】
また、本実施形態におけるアドバイス情報提供システム１００によれば、重量計１０２により計測される化粧品の重量を日時に対応付けて記憶しておくことができる。これにより、化粧品を購入した顧客であるユーザが化粧品を使用する日時、頻度、使用量等を適切に把握することができる。例えば各アドバイス情報提供システム１００で取得された各ユーザの化粧品の使用日時、頻度、使用量等をユーザに対応付けてサーバ装置２１０に集約することにより、各顧客の化粧品の使用日時、頻度、使用量等を把握できるとともに、多数の顧客の化粧品の使用日時、頻度、使用量等を分析する等も行うことができる。
【００７４】
以上、図面を参照して本発明の実施形態について述べたが、これらは本発明の例示であり、上記以外の様々な構成を採用することもできる。
【００７５】
例えば、他の例として、重量計１０２は、各化粧品毎に複数準備されており、各化粧品がそれぞれ重量計１０２上に載置された状態で保管される構成としてもよい。つまり、化粧水３００等の化粧品を重量計１０２上に載置された状態で保管しておくこともできる。
【００７６】
図１２Ａ〜図１２Ｄは、重量計１０２の構成の他の例を示す図である。図１２Ａ及び図１２Ｂに示す構成では、重量計１０２は、複数の独立した重量計測部１０２ａを含む。このような構成において、各重量計測部１０２ａに各化粧品を載置するようにして、各化粧品の使用開始を検出するようにしてもよい。
【００７７】
また、図１２Ｃ及び図１２Ｄに示すように、重量計１０２は、一つの重量計測部１０２ａのみを含むが、複数の化粧品が載置可能なサイズに構成することもできる。このような構成においても、図４を参照して説明したように、化粧品情報記憶部１５２に各化粧品の重量を記憶する構成としておくことにより、どの化粧品が重量計１０２に載置されたかや重量計１０２から取り除かれたか等を把握することができる。
【００７８】
また、どの化粧品が重量計１０２に載置されたかや重量計１０２から取り除かれたか等は、重量計１０２側にＲＦＩＤリーダ機能を設けておき、各化粧品ボトルにＲＦＩＤタグを設けておくことにより、識別する構成とすることもできる。
【００７９】
なお、重量計１０２を各化粧品毎に複数準備する場合や、図１２Ａ及び図１２Ｂに示すように、重量計１０２が複数の重量計測部１０２ａを含む場合、ログ記憶部１５０は、図１３に示すように、重量計ＩＤ欄も含み、各重量計ＩＤに対応付けて重量を記憶する構成とすることができる。
【００８０】
さらに、図示していないが、各化粧品の化粧品ボトルに重量計が設けられる構成とすることもできる。また、この場合、アドバイス情報提供システム１００の機能の一部又は全部が化粧品ボトルに設けられる構成とすることもできる。この場合、アドバイス情報提供システム１００はログ記憶部１５０等に前回使用終了時の重量、又は一定時間間隔で更新される化粧品容器の重量を記憶している。使用開始検出部１２２は、化粧品ボトルが傾く等重量が変化すると、使用開始と判断することができる。
【００８１】
また、以上の実施形態においては、使用開始検出部１２２が化粧品の重量の変化に基づき化粧品の使用開始を検出する構成を説明した。しかし、他の例として、重量計１０２にスイッチを設け、使用開始検出部１２２は、当該スイッチが入れられることにより使用開始を検出する構成とすることもできる。また、化粧品の使用開始は、例えば化粧品ボトルに加速度センサや近接センサを設け、加速度センサで動きを捉えたり、近接センサで人が近づいたことを捉えることにより検出する構成とすることもできる。
【００８２】
本国際出願は２０１６年７月１４日に出願された日本国特許出願２０１６−１３９５８１号に基づく優先権を主張するものであり、その全内容をここに援用する。
【符号の説明】
【００８３】
２１    入力部
２２    出力部
２５    メモリ部
２７    ネットワーク接続部
１００    アドバイス情報提供システム
１０２    重量計
１２０    重量取得部
１２２    使用開始検出部
１２４    使用状況検出部
１２８    アドバイス情報提供部
１３０    ユーザ情報取得部
１５０    ログ記憶部
１５２    化粧品情報記憶部
１５４    使用状況記憶部
１５６    アドバイス情報記憶部
１５８    ユーザ情報記憶部
２１０    サーバ装置
２２０    ユーザ情報収集デバイス
２５０    ネットワーク
３００    化粧水
３０２    乳液
４００    アドバイス情報
【図１】
2018012222.tif 000003
【図２】
2018012222.tif 000004
【図３】
2018012222.tif 000005
【図４】
2018012222.tif 000006
【図５】
2018012222.tif 000007
【図６】
2018012222.tif 000008
【図７】
2018012222.tif 000009
【図８】
2018012222.tif 000010
【図９】
2018012222.tif 000011
【図１０】
2018012222.tif 000012
【図１１】
2018012222.tif 000013
【図１２Ａ】
2018012222.tif 000014
【図１２Ｂ】
2018012222.tif 000015
【図１２Ｃ】
2018012222.tif 000016
【図１２Ｄ】
2018012222.tif 000017
【図１３】
2018012222.tif 000018
【国際調査報告】
2018012222.tif 000019
2018012222.tif 000020
2018012222.tif 000021
2018012222.tif 000022